(57)【要約】【課題】視認性及び操作性に優れた測定器を提供すること。【解決手段】測定器は、本体筐体と、本体筐体に設けられ、測定子の変位量を検出する検出部と、本体筐体の外表面に設けられた表示部と、外表面に設けられた複数のキースイッチと、外表面における表示部の近傍に設けられたメニュー表記部と、表示部の表示を制御する表示制御部と、を備える。表示部は、主表示部分と、メニュー表記部と隣り合う位置に配置され、メニュー表記部を指し示すカーソルを表示するカーソル表示部分と、を有する。このような測定器において、表示制御部は、検出部によって変位量を検出する測定モードの場合、カーソル表示部分にカーソルを表示させず、変位量に基づく測定値を主表示部分に表示させる制御を行い、測定条件の設定を行う設定モードの場合、選択されたメニューに対応したメニュー表記部を指し示すようにカーソルを表示させる制御を行う。【選択図】図１
2015197427.tif 000002
【特許請求の範囲】
【請求項１】
本体筐体と、
前記本体筐体に設けられ、測定子の変位量を検出する検出部と、
前記本体筐体の外表面に設けられた表示部と、
前記外表面に設けられた複数のキースイッチと、
前記外表面における前記表示部の近傍に設けられたメニュー表記部と、
前記表示部の表示を制御する表示制御部と、
を備え、
前記表示部は、
主表示部分と、
前記メニュー表記部と隣り合う位置に配置され、前記メニュー表記部を指し示すカーソルを表示するカーソル表示部分と、
を有し、
前記表示制御部は、
前記検出部によって前記変位量を検出する測定モードの場合、前記カーソル表示部分に前記カーソルを表示させず、前記変位量に基づく測定値を前記主表示部分に表示させる制御を行い、
測定条件の設定を行う設定モードの場合、選択されたメニューに対応した前記メニュー表記部を指し示すように前記カーソルを表示させる制御を行うことを特徴とする測定器。
【請求項２】
前記表示部は、
前記複数のキースイッチのそれぞれの近傍に配置された操作ガイド表示部分をさらに有し、
前記表示制御部は、
前記設定モードの場合、選択されたメニューにおいて前記複数のキースイッチの少なくとも１つに割り当てられた操作に対応するガイド表示を前記操作ガイド表示部分に表示させる制御を行うことを特徴とする請求項１記載の測定器。
【請求項３】
前記表示制御部は、選択された前記メニューにおいて操作が割り当てられていないキースイッチに対応する前記操作ガイド表示部分にはガイド表示を表示させない制御を行うことを特徴とする請求項２記載の測定器。
【請求項４】
前記表示制御部は、
前記測定モードの場合、前記操作ガイド表示部分にガイド表示を表示させない制御を行うことを特徴とする請求項２または３に記載の測定器。
【請求項５】
前記外表面における前記複数のキースイッチの少なくとも１つのキースイッチの近傍には、前記キースイッチの押下時間が予め設定された一定時間よりも短い場合の動作を示す第１表記と、前記押下時間が前記一定時間以上の場合の動作を示す第２表記とが併記されたことを特徴とする請求項１〜４のいずれか１つに記載の測定器。
【請求項６】
前記複数のキースイッチは、前記表示部の上側及び／又は下側に配置され、
前記メニュー表記部は、前記表示部の左側及び／又は右側に配置されることを特徴とする請求項１〜５のいずれか１つに記載の測定器。
【発明の詳細な説明】
【技術分野】
【０００１】
本発明は、筐体本体の外表面に設けられた表示部に測定値が表示される測定器に関する。
【背景技術】
【０００２】
測定子の変位量によって対象物の高さなどを測定する測定器においては、測定値を針によって表示するダイヤル式や液晶パネルなどに表示するデジタル式が知られている。例えば、特許文献１には、測定子の変位量に基づく計数値をデジタル表示するデジタル表示部と、アナログ表示するアナログ表示部とを備えたデジタルアナログ併用表示型測定器が開示されている。
【０００３】
また、特許文献２には、ＬＣＤによる表示手段を備えたデジタル表示式変位測定器が開示されている。この測定器においては、ＬＣＤによる表示を、スピンドルの変位量を主体に表示する数値モードと、変位量と上下限値との関係を表す判定結果を主体に表示する公差拡大モードとを切り替えられるようになっている。
【０００４】
測定器においては、各種の対象物の測定に対応するため、様々な測定モードを切り替えて測定を行うことができる。このため、測定器では、測定モードに応じた測定条件、表示設定など、各種のパラメータを設定することで、ユーザの選択した測定モードで的確な測定を行うことができるようになっている。
【先行技術文献】
【特許文献】
【０００５】
【特許文献１】特開２０００−２０５８５２号公報
【特許文献２】特開平９−４９７２３号公報
【発明の概要】
【発明が解決しようとする課題】
【０００６】
しかしながら、測定器においては、限られたサイズの本体筐体に表示部やキースイッチが配置されており、ユーザは、数少ないキースイッチによる操作と、表示部に表示される情報とを頼りにして、測定や設定を行う必要がある。特に、設定モードにおいては多くのパラメータを設定する必要があり、視認性に優れ、ユーザが容易に操作することができるインタフェースを実現することは、小型の測定器において非常に重要である。
【０００７】
本発明の目的は、視認性及び操作性に優れた測定器を提供することである。
【課題を解決するための手段】
【０００８】
本発明の測定器は、本体筐体と、本体筐体に設けられ、測定子の変位量を検出する検出部と、本体筐体の外表面に設けられた表示部と、外表面に設けられた複数のキースイッチと、外表面における表示部の近傍に設けられたメニュー表記部と、表示部の表示を制御する表示制御部と、を備える。表示部は、主表示部分と、メニュー表記部と隣り合う位置に配置され、メニュー表記部を指し示すカーソルを表示するカーソル表示部分と、を有する。このような測定器において、表示制御部は、検出部によって変位量を検出する測定モードの場合、カーソル表示部分にカーソルを表示させず、変位量に基づく測定値を主表示部分に表示させる制御を行い、測定条件の設定を行う設定モードの場合、選択されたメニューに対応したメニュー表記部を指し示すようにカーソルを表示させる制御を行うことを特徴とする。
【０００９】
このような構成によれば、測定モードの場合には、カーソル表示部分にカーソルが表示されないため、ユーザは表示部に表示される測定値に注視することができる。一方、設定モードの場合には、選択されたメニューに対応したメニュー表記部を指し示すようにカーソルが表示されるため、ユーザは設定モードにおいて選択したメニューを容易に確認することができる。
【００１０】
本発明の測定器において、表示部は、複数のキースイッチのそれぞれの近傍に配置された操作ガイド表示部分をさらに有しているとよい。また、表示制御部は、設定モードの場合、選択されたメニューにおいて複数のキースイッチの少なくとも１つに割り当てられた操作に対応するガイド表示を操作ガイド表示部に表示させる制御を行うようにするとよい。また、表示制御部は、選択されたメニューにおいて操作が割り当てられていないキースイッチに対応する操作ガイド表示部にはガイド表示を表示させない制御を行うようにするとよい。
【００１１】
このような構成によれば、設定モードの場合に、キースイッチに割り当てられた機能や操作に対応するガイド表示が行われるため、ユーザは、このガイド表示を参照しながら簡単にパラメータ等の設定を行うことができるようになる。また、機能や操作が割り当てられていないキースイッチにはガイド表示がされないことで、ユーザは、選択したメニューで使用可能なキースイッチと、使用不可能なキースイッチとを容易に判別することができるようになる。
【００１２】
本発明の測定器において、外表面における複数のキースイッチの少なくとも１つのキースイッチの近傍には、キースイッチの押下時間が予め設定された一定時間よりも短い場合の動作を示す第１表記と、押下時間が一定時間以上の場合の動作を示す第２表記とが併記されているとよい。
【００１３】
このような構成によれば、キースイッチの近傍に、キースイッチの押下時間が予め設定された一定時間よりも短い場合（いわゆる、短押し）の動作を示す第１表記と、一定時間以上の場合（いわゆる、長押し）の動作を示す第２表記とが併記されているため、キースイッチの押下時間で切り替わる動作を容易に選択することができるようになる。
【００１４】
本発明の測定器において、複数のキースイッチは、表示部の上側及び／又は下側に配置され、メニュー表記部は、表示部の左側及び／又は右側に配置されているとよい。このような構成によれば、限られたサイズの本体筐体を有効に利用して視認性及び操作性を高めることができるようになる。
【図面の簡単な説明】
【００１５】
【図１】第１実施形態に係る測定器を例示する正面図である。
【図２】（ａ）〜（ｃ）は、表示部を中心とした本体筐体の正面構成を例示する模式図である。
【図３】測定器のブロック構成図である。
【図４】測定器の全体の動作について説明するフローチャートである。
【図５】設定モードでの処理の流れを説明するフローチャートである。
【図６】（ａ）〜（ｃ）は、電池をセットした後の画面遷移図である。
【図７】（ａ）〜（ｄ）は、メニュー設定を行う場合の画面遷移図である。
【図８】（ａ）〜（ｄ）は、メニュー設定を行う場合の画面遷移図である。
【図９】（ａ）〜（ｄ）は、メニュー設定を行う場合の画面遷移図である。
【発明を実施するための形態】
【００１６】
〔第１実施形態〕
以下、本発明の第１実施形態を図面に基づいて説明する。なお、本願明細書と各図において、既出の図に関して前述したものと同様の要素には同一の符号を付して詳細な説明は適宜省略する。
【００１７】
図１は、第１実施形態に係る測定器を例示する正面図である。
図１に表したように、本実施形態に係る測定器１は、測定子１５の変位量に基づく測定値を表示部３０に表示するインジケータである。測定器１は、略円形の正面１０ａを有する本体筐体１０を備える。本体筐体１０の外表面には、正面１０ａのほか、背面や側面（外周面）など、正面１０ａ以外の面が含まれる。すなわち、正面１０ａは、本体筐体１０の外表面の一例である。本体筐体１０の下側には、本体筐体１０に対して進退可能に設けられたスピンドル１６が延出している。このスピンドル１６の先端には測定子１５が取り付けられる。測定子１５を対象物の測定点に接触させることで測定点の高さに応じてスピンドル１６が縮むことになる。このスピンドル１６の縮む量、すなわち測定子１５の変位量に応じた測定値が表示部３０に表示される。
【００１８】
本体筐体１０の内部には、測定子１５の変位量を電気信号に変換する検出部２０が設けられる。検出部２０は、図示しないエンコーダ及び計数回路を備える。測定値は、検出部２０から出力される信号に基づき演算される。
【００１９】
本体筐体１０の正面１０ａの略中央には表示部３０が設けられる。表示部３０は、例えば液晶表示パネルを有する。表示部３０は、測定に関する情報をセグメント方式で表示する。なお、表示部３０は、情報をドットマトリクス方式で表示してもよい。表示部３０の詳細については後述する。
【００２０】
本体筐体１０の正面１０ａには複数のキースイッチ４０が設けられる。本実施形態では、５つのキースイッチ４１〜４５が表示部３０の周囲に配置される。キースイッチ４０は、例えば中央部が凸状に膨らむ丸型のスイッチである。キースイッチ４０が正面１０ａに対して突出していることで、指によってキースイッチ４０の位置を容易に把握することができる。
【００２１】
複数のキースイッチ４０は、表示部３０の上側及び下側の少なくとも一方に配置される。本実施形態では、５つのキースイッチ４１〜４５のうち、２つのキースイッチ４１及び４２が表示部３０の上側に左右にレイアウトされる。また、残りの３つのキースイッチ４３〜４５が表示部３０の下側にレイアウトされる。３つのキースイッチ４３〜４５のうち１つ（キースイッチ４４）は中央に、残りの２つ（キースイッチ４３及び４５）は中央のキースイッチ４４を中心として左右にレイアウトされる。
【００２２】
本体筐体１０の正面１０ａにおける表示部３０の近傍にはメニュー表記部５０が設けられる。メニュー表記部５０は、測定器１の各種設定を行う際に選択されるメニューを表すものである。メニュー表記部５０は正面１０ａに例えばスクリーン印刷によって印字される。メニュー表記部５０は、表示部３０の右側及び左側の少なくとも一方に配置される。本実施形態では、表示部３０の左右両方にメニュー表記部５０が配置される。このようなメニュー表記部５０やキースイッチ４０のレイアウトにより、限られたサイズの本体筐体１０を有効に利用して、視認性及び操作性を高めることができる。
【００２３】
次に、表示部３０の詳細について説明する。
図２（ａ）〜（ｃ）は、表示部を中心とした本体筐体の正面構成を例示する模式図である。
図２（ａ）には本体筐体１０の正面１０ａのレイアウトが例示され、図２（ｂ）には表示部３０の主表示部分３１が例示され、図２（ｃ）にはキースイッチ４０とその近傍の表記が例示される。
【００２４】
図２（ａ）に表したように、表示部３０は、本体筐体１０の略円形の正面１０ａの中央に配置される。表示部３０の表示領域は例えば横長の略矩形である。表示部３０は、主表示部分３１と、カーソル表示部分３２と、操作ガイド表示部分３３と、を含む。主表示部分３１は、表示部３０の略中央に配置される。主表示部分３１には、測定の際に必要な表示が行われる。
【００２５】
図２（ｂ）に表したように、主表示部分３１として最も広い領域にセグメント表示部３１１が設けられる。セグメント表示部３１１は、例えば７セグメントによって測定値などを表示する部分である。また、主表示部分３１には、必要に応じてアナログ表示部３１２が設けられる。その他、主表示部分３１には、単位、ピークホールドの種類、プリセット番号、電池残量など必要な情報が表示される。
【００２６】
図２（ａ）に表したように、カーソル表示部分３２は、表示部３０の表示領域の縁に近い部分であって、メニュー表記部５０と隣り合う位置に設けられる。メニュー表記部５０は、複数のメニュー印字５１〜５６を含む。例えば、メニュー印字５１〜５３は表示部３０の左側に配置され、メニュー印字５４〜５６は表示部３０の右側に配置される。カーソル表示部分３２では、この複数のメニュー印字５１〜５６のそれぞれと隣り合うように、各メニュー印字５１〜５６を指し示すカーソルが表示される。カーソルは、複数のメニュー印字５１〜５６のうち選択されたメニューに対応したメニュー印字を指し示すように表示される。
【００２７】
操作ガイド表示部分３３は、表示部３０の表示領域の縁に近い部分であって、複数のキースイッチ４０のそれぞれの近傍に配置される。操作ガイド表示部分３３には、選択されたメニューにおいて複数のキースイッチ４０の少なくとも１つに割り当てられた操作に対応するガイド表示３３１〜３３５が行われる。
【００２８】
表示部３０の表示領域において、ガイド表示３３１〜３３５のレイアウトは、複数のキースイッチ４０のレイアウトと対応している。例えば、正面１０ａの左上に配置されるキースイッチ４１に対応したガイド表示３３１は、表示部３０の表示領域の左上に配置される。同様に、正面１０ａの右下に配置されるキースイッチ４５に対応したガイド表示３３５は、表示部３０の表示領域の右下に配置される。
【００２９】
また、同じキースイッチ４０であっても選択されたメニューによって機能が変わる場合には、それぞれの機能に対応したガイド表示が用意されている。これにより、ユーザは、どのキースイッチ４５にどのような機能が割り当てられているかを容易に把握することができる。
【００３０】
図２（ｃ）に表したように、キースイッチ４０の近傍には、そのキースイッチ４０の押下時間が予め設定された一定時間よりも短い場合（いわゆる、短押し）の動作を示す第１表記５１０と、押下時間が一定時間以上の場合（いわゆる、長押し）の動作を示す第２表記５２０とが併記される。
【００３１】
例えば、いわゆる短押しの動作を示す第１表記５１０がキースイッチ４０の上側に印字され、いわゆる長押しの動作を示す第２表記５２０がキースイッチ４０の下側に印字される。複数のキースイッチ４０のそれぞれに第１表記５１０及び第２表記５２０が設けられている場合、第１表記５１０及び第２表記５２０の配置関係は、どのキースイッチ４０であっても同じになっている。これにより、ユーザは、キースイッチ４０に割り当てられた、いわゆる短押し／長押しによる動作の違いを用意に判別できることになる。例えば、短押しの動作には使用頻度が高い機能や誤操作によるリスクが低い機能を割り当て、長押しの動作には使用頻度が低い機能や誤操作によるリスクが高い機能を割り当てるとよい。
【００３２】
キースイッチ４０の近傍に設けられた表記は、例えばスクリーン印刷によって印字されている。これらの表記は、測定モードにおいて有効なキー機能に対応している。キー機能が印字されていることで、測定モードでユーザが測定を行う際、各キースイッチ４０に割り当てられた機能表記の視認性が向上する。
【００３３】
なお、キースイッチ４０のうち、表示部３０の下側に配置されたキースイッチ４３、４４及び４５は、表示部３０の上側に配置されたキースイッチ４１及び４２よりも大きい。これは、測定モードの際に良く利用するキースイッチ４３、４４及び４５を押しやすくするためである。このキースイッチ４３、４４及び４５に対応して測定モードで良く利用するキー機能の表記を割り当てることで、高い操作性及び視認性を確保することができる。
【００３４】
次に、測定器１のブロック構成について説明する。
図３は、測定器のブロック構成図である。
測定器１の本体筐体１０には、検出部２０、表示部３０、複数のキースイッチ４０、記憶部７０、入出力部８０及び制御部１００が設けられる。
【００３５】
検出部２０はエンコーダ２１及び計数回路２２を有する。測定子１５の変位量はエンコーダ２１で電気信号（位置データ）に変換される。計数回路２２は、エンコーダ２１から出力された位置データを取得する。
【００３６】
制御部１００は、検出部２０、表示部３０、複数のキースイッチ４０、記憶部７０及び入出力部８０など、各部の制御を行うほか、検出部２０の計数回路２２から出力されるカウント数の信号に基づき測定値を演算する処理を行う。
【００３７】
記憶部７０は、測定器１の制御を行うファームウェア、測定条件などのパラメータ及び測定結果などを記憶する。入出力部８０は、測定結果を外部の機器（例えば、コンピュータ）に出力したり、外部の機器からパラメータやファームウェアなどを入力するインタフェースを有する。例えば、インタフェースの例としては、外部の機器との間で無線又は有線通信を行うためのインタフェース回路が挙げられるが、このほか、インタフェース回路を含まないコネクタ単体であってもよい。
【００３８】
本実施形態に係る測定器１において、制御部１００には表示制御部６０が含まれる。表示制御部６０は、表示部３０の表示を制御する。表示制御部６０は、検出部２０によって測定子１５の変位量を検出する測定モードの場合、表示部３０の主表示部分３１に変位量に基づき測定値を表示させる制御を行う。これにより、制御部１００で演算して得た測定値が主表示部分３１のセグメント表示部３１１に表示される。このような測定モードにおいて、表示制御部６０は、カーソル表示部分３２にカーソルを表示させない制御を行う。つまり、測定モードにおいては、カーソルの表示は行われない。したがって、ユーザは表示部３０に表示される測定値に注視することができる。
【００３９】
一方、測定条件の設定を行う設定モードの場合、表示制御部６０は、選択されたメニューに対応したメニュー表記部５０を指し示すようにカーソルを表示させる制御を行う。すなわち、表示制御部６０は、メニュー表記部５０のメニュー印字５１〜５６のうち、ユーザによって選択されたメニューに対応したメニュー印字を指し示すカーソルを表示させる。これにより、ユーザは、選択したメニューをカーソルの表示によって容易に確認することができるようになる。
【００４０】
また、表示制御部６０は、設定モードの場合、ユーザによって選択されたメニューにおいて操作が割り当てられたキースイッチ４０に対応した操作ガイド表示部分３３に、その割り当てられた操作に対応するガイド表示を表示する制御を行う。これにより、ユーザは、選択したメニューに応じて割り当てられたキースイッチ４０の操作を、ガイド表示を参照しながら的確に選択でき、簡単にパラメータ等の設定を行うことができるようになる。また、測定モードにおいては、表示制御部６０は、操作ガイド表示部分３３にガイド表示をしないよう制御を行う。つまり、測定モードにおいては、操作ガイド表示部分３３にガイド表示はされない。したがって、測定モードでは、ユーザは表示部３０に表示される測定結果に関連する内容に注視することができる。
【００４１】
次に、本実施形態に係る測定器１の動作について説明する。
図４は、測定器の全体の動作について説明するフローチャートである。
図４に表したフローチャートの処理は、制御部１００によって行われる。
先ず、測定器１の電源が投入されると、測定モードに移行する（ステップＳ１０１）。この測定モードでは、例えば、前回の測定終了時に設定されていた測定条件によって測定を開始する。測定モードでは、対象物に測定子１５を接触させた際の測定子１５の基準点からの変位量を検出し、測定値を表示部３０に表示させる。
【００４２】
測定モードにおいては、メニューボタンが押下されたか否かの判断を行う（ステップＳ１０２）。メニューボタンは、複数のキースイッチ４０のうちのいずれかに割り当てられる。本実施形態では、キースイッチ４２がメニューボタンである。メニューボタン（キースイッチ４２）が押下されない場合には測定モードを維持する。メニューボタン（キースイッチ４２）が押下された場合には、設定モードへ移行する（ステップＳ１０３）。
【００４３】
設定モードに移行した場合、ユーザによるパラメータの設定を受け付けて、これを記憶部７０に記憶する。次に、電源をＯＦＦにするキースイッチ４０が選択されたか否かを判断する（ステップＳ１０４）。電源をＯＦＦにするキースイッチ４０が選択されていない場合には測定モードへ戻る。一方、電源をＯＦＦにするキースイッチ４０が選択された場合には、測定器１の電源をＯＦＦにして終了する。
【００４４】
次に、設定モード（ステップＳ１０３）での処理の流れを説明する。
図５は、設定モードでの処理の流れを説明するフローチャートである。
先ず、制御部１００は、メニューの選択を受け付ける（ステップＳ２０１）。すなわち、制御部１００は、ユーザがメニューボタン（キースイッチ４２）を押下すると、メニュー（すなわち設定しようとするパラメータ）を選択可能な状態とする。続いてユーザが選択ボタン（キースイッチ４３及び４５）を押下すると、制御部１００はこれを受け付けて選択するメニューを変更し、最後にユーザがＯＫボタン（キースイッチ４４）を押下すると、どのメニューが選択されたかを判断する。
【００４５】
次に、表示制御部６０は、制御部１００からの指示を受けて、ユーザの選択したメニューに対応したメニュー印字（メニュー印字５１〜５６のいずれか）を指し示すようにメニュー表記部５０のカーソルを表示させる（ステップＳ２０２）。このカーソルの表示によって、ユーザは自らが選択したメニューが何であるか把握することができる。
【００４６】
次に、表示制御部６０は、操作ガイド表示部分３３にガイド表示を行う（ステップＳ２０３）。すなわち、ユーザが選択したメニューにおいて、操作が割り当てられたキースイッチ４０に対応した操作ガイド表示部分３３に、その割り当てられた操作に対応するガイド表示を行う。操作が割り当てられていないキースイッチ４０に対応した操作ガイド表示部分３３には、ガイド表示は行われない。ユーザは、ガイド表示を参照することで、現在選択されているメニューにおいて有効なキースイッチ４０がどれであるか、また有効なキースイッチ４０に割り当てられた機能は何であるかを把握することができる。
【００４７】
次に、制御部１００は、ユーザによるパラメータの設定の受け付けを行う（ステップＳ２０４）。ユーザは、ガイド表示に従い、パラメータの設定に必要なキースイッチ４０を使用して所定のパラメータの設定を行う。設定途中のパラメータは主表示部分３１に表示される（ステップＳ２０５）。
【００４８】
次に、制御部１００は、ユーザによるパラメータの設定が完了したか否かを判断する（ステップＳ２０６）。例えば、ユーザによって設定完了の機能が割り当てられたキースイッチ４０が選択された場合、制御部１００はこれを受け付ける。設定完了でない場合には、ステップＳ２０４へ戻り、設定の受け付けを続行する。設定完了である場合、制御部１００は、ユーザの設定したパラメータを記憶部７０に記憶し（ステップＳ２０７）、設定モードを終了する。
【００４９】
なお、図５のフローチャートに表されないが、設定モードにおいてキャンセルに相当するキースイッチ４０が選択された場合には、設定途中のパラメータを記憶部７０に記憶せず、測定モードへ戻ることになる。
【００５０】
次に、本実施形態に係る測定器１における表示部３０の画面遷移の一例について説明する。
図６（ａ）〜（ｃ）は、電池をセットした後の画面遷移図である。
先ず、電池をセットした直後は、図６（ａ）に表したように、バー表示が行われる。それとともに、操作ガイド表示部分３３には、ガイド表示３３４として「ＯＫ」が表示される。「ＯＫ」の表示はキースイッチ４４の近傍である。このガイド表示３３４によって、キースイッチ４４が「ＯＫ」の機能を有することが分かる。
【００５１】
次に、ユーザが「ＯＫ」を示すキースイッチ４４を押下すると、図６（ｂ）に表したように、主表示部分３１のセグメント表示部３１１にプリセット値が表示される。プリセット値は、測定の基準点における値であって、予めセットされるものである。本実施形態に係る測定器１では、複数のプリセット（例えば、Ｐ１〜Ｐ３）を行うことができる。プリセット値の表示画面では、操作ガイド表示部分３３のガイド表示３３３に「ＳＥＬＥＣＴ」が表示され、ガイド表示３３４には「ＯＫ」が表示され、ガイド表示３３５には「ＥＤＩＴ」が表示される。ガイド表示３３１及び３３２には何も表示されない。すなわち、ガイド表示３３３に対応したキースイッチ４３は「ＳＥＬＥＣＴ」機能を有し、ガイド表示３３４に対応したキースイッチ４４は「ＯＫ」の機能を有し、ガイド表示３３５に対応したキースイッチ４５は「ＥＤＩＴ」の機能を有することが分かる。また、ガイド表示がされていないキースイッチ４１及び４２には機能が割り当てられていないことが分かる。
【００５２】
ここで、ユーザがキースイッチ４３を押下すると、押下する毎に次のプリセット値が表示される。また、ユーザがキースイッチ４５を押下すると、プリセット値の編集モードへ移行する。また、ユーザが「ＯＫ」を示すキースイッチ４４を押下すると、図６（ｃ）に表したように、測定モードの画面が表示される。測定モードでは、セグメント表示部３１１に測定値が表示され、カーソル表示部分３２及び操作ガイド表示部分３３には何も表示されない。
【００５３】
次に、メニュー設定を行う場合の画面遷移の一例を説明する。
図７〜図９は、メニュー設定を行う場合の画面遷移図である。ここでは、演算機能のパラメータ設定の例が表される。
図７（ａ）は、電源投入後に表示される測定モードの画面を示している。測定モードにおいて「ＭＥＮＵ」に対応したキースイッチ４２を押下すると、測定モードから設定モードへ移行する。設定モードに移行すると、図７（ｂ）に表したように、カーソル表示部分３２のカーソルが、「ＴＯＬ」のメニュー印字５１を指し示す。
【００５４】
設定モードに移行すると、操作ガイド表示部分３３の機能が割り当てられたキースイッチ４０に対応したガイド表示が行われる。図７（ｂ）に表した例では、キースイッチ４２に対応したガイド表示３３２に「ＥＸＩＴ」が表示される。「ＥＸＩＴ」は設定モードを抜けて測定モードに戻る機能である。
【００５５】
キースイッチ４３に対応したガイド表示３３３には「↓」が表示される。「↓」は１つ下のメニューを選択する機能である。キースイッチ４５に対応したガイド表示３３５には「↑」が表示される。「↑」は１つ上のメニューを選択する機能である。キースイッチ４４に対応したガイド表示３３４には「ＯＫ」が表示される。一方、キースイッチ４１に対応したガイド表示３３１には何も表示されていない。この状態では、キースイッチ４１に機能が割り当てられていない。したがって、キースイッチ４１を押下しても変化しない。
【００５６】
ガイド表示３３３である「↓」に対応したキースイッチ４３を１回押下すると、図７（ｃ）に表したように、カーソル表示部分３２のカーソルが１つ下に移動して、「ＲＥＳ」のメニュー印字５２を指し示す。なお、ガイド表示３３５である「↑」に対応したキースイッチ４５を１回押下すると、カーソル表示部分３２のカーソルが１つ上に移動する。
【００５７】
図７（ｃ）に表した状態からキースイッチ４３を１回押下すると、図７（ｄ）に表したように、カーソル表示部分３２のカーソルが１つ下に移動して、「ＣＡＬＣ」のメニュー印字５３を指し示す。これにより、ユーザは、「ＣＡＬＣ」である演算機能のパラメータを設定するメニューを選択していることを把握することができる。
【００５８】
なお、カーソルが各メニューの位置をそれぞれ指し示すとき、示されたメニューにおける現在の設定状況が主表示部分３１に表示される。図７（ｄ）に表した例では、主表示部分３１に「ＯＦＦ」の文字が表示されている。これは、現在、演算機能が「ＯＦＦ」になっていることを表している。
【００５９】
次に、この状態でガイド表示３３４の「ＯＫ」に対応したキースイッチ４４を押下すると、図８（ａ）に表したように、演算機能のパラメータを設定する画面に遷移する。そして、このモードに対応して操作ガイド表示部分３３のガイド表示が変わる。
【００６０】
図８（ａ）に表した例では、キースイッチ４１に対応したガイド表示３３１に「ＣＡＮＣＥＬ」が表示される。「ＣＡＮＣＥＬ」は現在のメニューを抜けて１つ上の階層へ戻る機能である。「ＣＡＮＣＥＬ」に対応したキースイッチ４１を押下すると、１つ上の階層である図７（ｄ）に表した画面に移行する。
【００６１】
また、キースイッチ４３に対応したガイド表示３３３には「ＳＥＬＥＣＴ」が表示される。１つ上の階層（図７（ｄ）参照）では、キースイッチ４３に対応したガイド表示３３３には「↓」が表示されていたが、この階層では同じキースイッチ４３に対応したガイド表示３３３は「ＳＥＬＥＣＴ」に変わる。つまり、メニューの階層に応じてキースイッチ４３に対応したガイド表示３３３が切り替わることになる。また、キースイッチ４４に対応したガイド表示３３４には「ＯＫ」が表示される。他のキースイッチ４２及び４５に対応したガイド表示３３２及び３３５には何も表示されない。
【００６２】
次に、ユーザがガイド表示３３３の「ＳＥＬＥＣＴ」に対応したキースイッチ４３を押下すると、演算機能のＯＮ／ＯＦＦの切り替え選択が行われる。図８（ｂ）に表したように、選択に応じて主表示部分３１にはＯＮ／ＯＦＦのうち選択したものが例えば点滅表示される。
【００６３】
次に、ユーザがガイド表示３３４の「ＯＫ」に対応したキースイッチ４４を押下すると、図８（ｃ）に表したように、演算機能の各パラメータを設定するための画面に遷移する。図８（ｃ）に表した例では、演算式である「Ａｘ＋Ｂ＋Ｃｘ−１」のうちパラメータ「Ａ」が例えば点滅表示され、「Ａ」を設定するためのモードであることが分かる。
【００６４】
このモードに移行した状態では、キースイッチ４５に対応したガイド表示３３５に「ＥＤＩＴ」が表示される。「ＥＤＩＴ」はパラメータを編集する機能である。ユーザがガイド表示３３５の「ＥＤＩＴ」に対応したキースイッチ４５を押下すると、図８（ｄ）に表したように、パラメータ「Ａ」を編集するための画面に遷移する。このモードに移行すると、操作ガイド表示部分３３は、移行したモードに対応したガイド表示に切り替わる。
【００６５】
図８（ｄ）に表した例では、キースイッチ４１に対応したガイド表示３３１には「ＣＡＮＣＥＬ」、キースイッチ４２に対応したガイド表示３３２には「ＥＸＩＴ」、キースイッチ４３に対応したガイド表示３３３には「↓」、キースイッチ４４に対応したガイド表示３３４には「→」、キースイッチ４５に対応したガイド表示３３５には「↑」が表示される。
【００６６】
例えば、「→」に対応したキースイッチ４４を押下すると、表示されたパラメータの編集位置（符号、桁）を変えることができる。編集位置は点滅表示される。図９（ａ）には、キースイッチ４４を所定回数押下して、編集したい桁が選択された状態を表している。選択されている桁の数値は、点滅表示される。ここで、「↑」に対応したキースイッチ４５を押下すると、図９（ｂ）に表したように、選択された桁の数が「１」増加する。
【００６７】
次に、「→」に対応したキースイッチ４４を押下すると、図９（ｃ）に表したように、１つ隣りの桁が選択される。ここで、「↓」に対応したキースイッチ４３を押下すると、図９（ｄ）に表したように、選択された桁の数が「１」減少する。この操作を繰り返して所望の数値を設定する。
【００６８】
数値を設定した後は、「ＥＸＩＴ」に対応したキースイッチ４２を押下する。これにより、設定した数値が記憶部７０に記憶されるとともに、図７（ａ）に表した測定モードの画面に遷移する。
【００６９】
このように、本実施形態に係る測定器１においては、各メニューでのパラメータを設定する設定モードに移行した状態で、カーソル表示部分３２にカーソルが表示され、選択しているメニューを容易に把握することができる。さらに、選択しているメニューに応じて機能の割り当てられているキースイッチ４０に対応した操作ガイド表示部分３３に、ガイド表示３３１〜３３５が行われる。これにより、ユーザは、ガイド表示３３１〜３３５を参考にして的確かつ容易にパラメータの設定を行うことができるようになる。
【００７０】
以上説明したように、本実施形態によれば、限られたサイズの本体筐体１０に表示部３０が設けられている場合であっても、視認性及び操作性を高めることができ、ユーザインタフェースに優れた測定器１を提供することができるようになる。
【００７１】
なお、上記に本実施形態及びその具体例を説明したが、本発明はこれらの例に限定されるものではない。例えば、上記実施形態では、表示部３０、キースイッチ４０及びメニュー表記部５０が正面１０ａに設けられた例を説明したが、これらのうち少なくとも１つが外表面の正面１０ａとは異なる面に設けられていてもよい。また、前述の実施形態またはその具体例に対して、当業者が適宜、構成要素の追加、削除、設計変更を行ったものも、本発明の要旨を備えている限り、本発明の範囲に含有される。
【産業上の利用可能性】
【００７２】
以上のように、本発明は、インジケータのほか、ハイトゲージ、デジタルノギス、デジタルマイクロメータ、リニアスケールなどに好適に利用できる。
【符号の説明】
【００７３】
１…測定器
１０…本体筐体
１０ａ…正面
１５…測定子
１６…スピンドル
２０…検出部
３０…表示部
３１…主表示部分
３２…カーソル表示部分
３３…操作ガイド表示部分
４０…キースイッチ
５０…メニュー表記部
６０…表示制御部
【図１】
2015197427.tif 000003
【図２】
2015197427.tif 000004
【図３】
2015197427.tif 000005
【図４】
2015197427.tif 000006
【図５】
2015197427.tif 000007
【図６】
2015197427.tif 000008
【図７】
2015197427.tif 000009
【図８】
2015197427.tif 000010
【図９】
2015197427.tif 000011